(57)【要約】【課題】  オートフォーカス動作時のエラーの原因を容易に把握可能な眼底カメラを提供する。【解決手段】  被検眼眼底を撮影するために光軸方向に移動可能なフォーカスレンズを含む撮影光学系と、眼底を撮像する眼底観察光学系と、前眼部を撮像する前眼部観察光学系と、前記眼底観察光学系に撮像された眼底像と前記前眼部観察光学系に撮像される前眼部像を切換表示可能な表示手段と、被検眼眼底とのフォーカス状態を検出するフォーカス検出手段と、該検出手段の検出結果に基づいて前記フォーカスレンズを駆動するオートフォーカス手段と、前記表示手段に眼底像が表示された後に前記オートフォーカス手段を動作させるためのトリガ信号を入力する信号入力手段と、該トリガ信号の入力により前記オートフォーカス手段が動作している間は、前記表示手段の表示を眼底像から前眼部像に切換えるように制御する制御手段と、を備える。【選択図】      図４
2006116090.tif 000002
【特許請求の範囲】
【請求項１】
被検眼眼底を撮影するために光軸方向に移動可能なフォーカスレンズを含む撮影光学系と、被検眼の眼底を撮像する眼底観察光学系と、被検眼の前眼部を撮像する前眼部観察光学系と、前記眼底観察光学系に撮像された眼底像と前記前眼部観察光学系に撮像される前眼部像を切換表示可能な表示手段と、被検眼眼底とのフォーカス状態を検出するフォーカス検出手段と、該検出手段の検出結果に基づいて前記フォーカスレンズを駆動するオートフォーカス手段と、前記表示手段に眼底像が表示された後に前記オートフォーカス手段を動作させるためのトリガ信号を入力する信号入力手段と、該トリガ信号の入力により前記オートフォーカス手段が動作している間は、前記表示手段の表示を眼底像から前眼部像に切換えるように制御する制御手段と、を備えることを特徴とする眼底カメラ。
【請求項２】
請求項１の眼底カメラは、被検眼に対する前記撮影光学系のアライメント状態を検出するアライメント検出手段と、該アライメント検出手段の検出結果に基づいて前記撮影光学系を被検眼に対して自動的にアライメントするオートアライメント手段とを備え、前記信号入力手段によるトリガ信号の入力に連動して前記オートアライメント手段が動作するように設定されていることを特徴とする眼底カメラ。
【発明の詳細な説明】
【技術分野】
【０００１】
本発明は、被検眼の眼底を撮像する眼底カメラに関する。
【背景技術】
【０００２】
眼底カメラを使った眼底撮影においては、表示モニタに表示される前眼部観察像に基づいて被検眼に対してアライメントを行い、ある程度のアライメントが完了したら、眼底観察に切換える。そして、眼底観察像に基づいてアライメントの微調整を行った後、眼底に投影したスプリット線等の指標を利用してフォーカスを調整する。近年、このようなフォーカス調整を簡略化すべく、自動フォーカス機能を持つ装置が提案されている（特許文献１参照）。
【特許文献１】特開平８−２７５９２１号公報
【発明の開示】
【発明が解決しようとする課題】
【０００３】
ところで、上記のような自動フォーカス機能にてフォーカス合わせをする場合に、フォーカスが適切に行われない場合がある。例えば、被検眼に瞬きがあったり、固視の状態が不安定だったり、アライメント状態がずれていたり、瞳孔径が小さかったりすると、オートフォーカスが適正に行われず、エラーとなる可能性が高い。従来装置においては、自動フォーカスによるフォーカス合わせは、モニタに眼底像が表示された状態で行われていため、検者は眼底像からでは被検眼の状態が把握しづらく、エラーが生じてもエラーの原因が何であるのか把握することが困難であるという問題があった。
【０００４】
本発明は、上記問題点を鑑み、オートフォーカス動作時のエラーの原因を容易に把握可能な眼底カメラを提供することを技術課題とする。
【課題を解決するための手段】
【０００５】
（１）  被検眼眼底を撮影するために光軸方向に移動可能なフォーカスレンズを含む撮影光学系と、被検眼の眼底を撮像する眼底観察光学系と、被検眼の前眼部を撮像する前眼部観察光学系と、前記眼底観察光学系に撮像された眼底像と前記前眼部観察光学系に撮像される前眼部像を切換表示可能な表示手段と、被検眼眼底とのフォーカス状態を検出するフォーカス検出手段と、該検出手段の検出結果に基づいて前記フォーカスレンズを駆動するオートフォーカス手段と、前記表示手段に眼底像が表示された後に前記オートフォーカス手段を動作させるためのトリガ信号を入力する信号入力手段と、該トリガ信号の入力により前記オートフォーカス手段が動作している間は、前記表示手段の表示を眼底像から前眼部像に切換えるように制御する制御手段と、を備えることを特徴とする。
（２）  （１）の眼底カメラは、被検眼に対する前記撮影光学系のアライメント状態を検出するアライメント検出手段と、該アライメント検出手段の検出結果に基づいて前記撮影光学系を被検眼に対して自動的にアライメントするオートアライメント手段とを備え、前記信号入力手段によるトリガ信号の入力に連動して前記オートアライメント手段が動作するように設定されていることを特徴とする。
【発明の効果】
【０００６】
本発明によれば、オートフォーカス動作時のエラーの原因を容易に把握することができる。
【発明を実施するための最良の形態】
【０００７】
以下、本発明の実施形態を図面に基づいて説明する。図１は本発明に係る無散瞳型の眼底カメラの構成図である。
【０００８】
眼底カメラは、基台１と、基台１に対してジョイスティック４の操作により左右方向（Ｘ方向）及び前後方向（Ｚ方向）に移動可能な移動台２と、移動台２に対して左右・上下・前後方向（Ｚ方向）にそれぞれ三次元移動可能に設けられた撮影部３と、被検者の顔を支持するために基台１に固設された顔支持ユニット５を備える。６は撮影部３を上下方向に移動するＹ駆動部であり、７は撮影部３を左右前後に移動するＸＺ駆動部である。ＸＺ駆動部７は、Ｙテーブルの上にＺ方向に移動可能なＺテーブルを配置し、Ｚテーブルの上にＸ方向に移動可能なＸテーブルを配置し、Ｘテーブルの上に撮影部３を配置し、Ｚテーブル及びＸテーブルをそれぞれモータ駆動することにより撮影部３をＸＹ方向に移動する。Ｙ駆動部６はＹテーブルをモータにより上下駆動することにより、撮影部３をＹ方向に移動する。この種の三次元駆動機構は周知の機構とすることができる。なお、撮影部３はジョイスティック４の回転操作によりＹ駆動部６が作動し、上下移動する。撮影部３の検者側には観察像や撮影像を表示するモニタ８が設けられている。
【０００９】
図２は、撮影部３に収納される光学系及び制御系の概略構成図である。光学系は、照明光学系１０、眼底観察・撮影光学系３０、フォーカス指標投影光学系４０、アライメント指標投影光学系５０、前眼部観察光学系６０、固視標光学系７０から大別構成されている。
照明光学系１０は、観察照明光学系と撮影照明光学系を有する。撮影照明光学系は、フラッシュランプ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。また、観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リングスリット１７から対物レンズ２５までの光学系を有する。ダイクロイックミラー１６は、赤外光を反射し可視光を透過する特性を持つ。
【００１０】
眼底観察・撮影光学系３０は、対物レンズ２５、孔あきミラー２２の開口近傍に位置する撮影絞り３１、光軸方向に移動可能なフォーカシングレンズ３２、結像レンズ３３、赤外光及び可視光の一部を反射し、可視光の大部分を透過する特性を有するダイクロイックミラー３４を備え、撮影光学系と眼底観察光学系は対物レンズ２５と撮影絞り３１から結像レンズ３３までの光学系を共用する。撮影絞り３１は対物レンズ２５に関して被検眼Ｅの瞳孔と略共役な位置に配置されている。フォーカシングレンズ３２は、モータを備える移動機構３９により光軸方向に移動される。ダイクロイックミラー３４の透過方向には、可視域に感度を有する撮影用のカラーＣＣＤカメラ３５が配置されている。ダイクロイックミラー３４の反射方向の光路には、赤外反射、可視光透過のダイクロイックミラー３７、リレーレンズ３６、赤外域に感度を有する観察用ＣＣＤカメラ３８が配置されている。
【００１１】
また、対物レンズ２５と孔あきミラー２２の間には、光路分岐部材としての挿脱可能なダイクロイックミラー（波長選択性ミラー）２４が斜設されている。ダイクロイックミラー２４は、アライメント指標投影光学系５０及び前眼部照明光源５８の波長光（中心波長９４０ｎｍ）を反射し、観察用照明の波長光及びフォーカス指標投影光学系４０等の光源波長（中心波長８８０ｎｍ）を含む波長９００ｎｍ以下を透過する特性を有する。平行板ガラス２３は、ダイクロイックミラー２４とほぼ同じ厚さで、かつほぼ同じ屈折率を有する。撮影時には、ダイクロイックミラー２４は挿脱機構６６により連動して跳ね上げられ、光路外に退避する。
【００１２】
フォーカス指標投影光学系４０は、赤外光源４１、スリット指標板４２、このスリット指標板４２に取り付けられた２つの偏角プリズム４３、照明光学系１０の光路に斜設されたハーフミラー４４を備える。光源４１、スリット指標板４２は、フォーカシングレンズ３２と連動して移動機構３９により光軸方向に移動される。
【００１３】
アライメント指標投影光学系５０は、対物レンズ２５の光軸を中心に左右対称に配置された２組の第１指標投影光学系と、この第１指標投影光学系より狭い角度に配置された光軸を持ち光軸Ｌ１が通る垂直平面を挟んで左右対称に配置された２組の第２指標投影光学系を備える。２組の第１指標投影光学系は、中心波長９４０ｎｍの赤外光を発する光源５１、コリメーティングレンズ５２をそれぞれ持ち、略平行光束の光により被検眼に無限遠の視標を投影する。一方、２組の第２指標投影光学系は、中心波長９４０ｎｍの赤外光を発する光源５２を持ち、発散光束により被検眼に有限遠の視標を投影する。なお、図２の光学系は側面から見たときのものを示すが、アライメント指標投影光学系５０は実際には左右方向に配置されたものである。図４（ａ），（ｂ）は、このアライメント指標投影光学系５０により前眼部像Ｆに形成される指標像の状態を示しており、指標像Ｍａ，Ｍｂは第１指標投影光学系（光源５１及びコリメーティングレンズ５２）による無限遠の指標像であり、指標像Ｍｃ，Ｍｄは第２指標投影光学系（光源５３）による有限遠の指標像である。指標像Ｍｃ，Ｍｄは、指標像Ｍａ，Ｍｂよりも下側に形成されるように、その第２指標投影光学系が構成されている。
【００１４】
また、孔あきミラー２２の穴周辺には、図３に示すように、ワーキングドットを形成するための２つの赤外光源５５（中心波長８８０ｎｍ）が光軸Ｌ１を中心に左右対称に配置されている。光源５５は、被検眼Ｅと対物レンズ２５との作動距離が適切になったとき、角膜の曲率半径の１／２となる距離が共役位置となるように配置されている。
【００１５】
前眼部観察光学系６０は、ダイクロイックミラー２４の反射側に、フィールドレンズ６１、ミラー６２、絞り６３、リレーレンズ６４、赤外域の感度を持つＣＣＤカメラ６５を備える。また、ＣＣＤカメラ６５はアライメント指標の検出手段を兼ね、中心波長９４０ｎｍの赤外光を発する前眼部照明光源５８により照明された前眼部とアライメント指標が撮像される。アライメント指標の検出手段は、前眼部撮像と兼用すると有利であるが、専用のものを設けても良い。
【００１６】
固視標呈示光学系７０は、赤色の光源７４、開口穴が形成された８個の固視標７１を持つ視標板７２、リレーレンズ７５を備え、ダイクロイックミラー３４を介してダイクロイックミラー３４から対物レンズ２５までの観察光学系３０の光路を共用する。固視標７１は、右眼の後極部付近を撮影中心に導く開口穴を持つもの、左眼の後極部付近を撮影中心に導く開口穴を持つもの、周辺部を撮影するように視線を導く開口穴を持つもので構成されており、モータ７３により各固視標７１が選択的に光源７４の前に配置される。
【００１７】
上記の光学系において、前眼部照明光源５８により照明された前眼部は、対物レンズ２５、ダイクロイックミラー２４及びフィールドレンズ６１からリレーレンズ６４の光学系を介してＣＣＤカメラ６５に受光される。また、観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被検眼Ｅの瞳孔付近で一旦収束した後、拡散して被検眼眼底部を照明する。撮影用照明光源１４を発した光束は、コンデンサレンズ１５を経た後、観察用照光束と同様な光路を経て被検眼眼底を照明する。また、フォーカス指標投影光学系４０のスリット指標板４２の光束は、偏角プリズム４３を介してハーフミラー４４により反射された後、リレーレンズ２１、孔あきミラー２２、平行板ガラス２３、ダイクロイックミラー２４、対物レンズ２５を経て被検眼Ｅの眼底に投影される。眼底のフォーカスが合っていないとき、スリット指標板４２の指標像は分離され、フォーカスが合っているときに一致して投影される。
観察照明光で照明された眼底からの反射光は、対物レンズ２５、ダイクロイックミラー２４、孔あきミラー２２の開口部、撮影絞り３１、フォーカシングレンズ３２、結像レンズ３３、ダイクロイックミラー３４、ダイクロイックミラー３７、リレーレンズ３６を介してＣＣＤカメラ３８に結像する。
【００１８】
図５は、ＣＣＤカメラ３８で撮像される眼底画像の例であり、眼底像Ｒの中心にフォーカス指標投影光学系４０によるフォーカス指標像Ｓ１、Ｓ２が投影されている。眼底にフォーカスが合っていないときにはフォーカス指標像Ｓ１、Ｓ２は分離され、フォーカスが合っているときに一致して投影される。
【００１９】
また、撮影時には、撮影用照明光で照明された眼底からの反射光は、対物レンズ２５、孔あきミラー２２、撮影絞り３１、フォーカシングレンズ３２、ダイクロイックミラー３４を経て、撮影用のＣＣＤカメラ３５に結像する。なお、ＣＣＤカメラ３５が観察用のカメラを兼用する構成とすることも可能である。
【００２０】
ＣＣＤカメラ６５、３８、３５の出力は画像処理部８０に接続されている。画像処理部８０はＣＣＤカメラ６５に撮像された前眼部の画像からアライメント指標を検出処理し、ＣＣＤカメラ３８に撮像された眼底画像からフォーカス指標を検出処理する。また、画像処理部８０は表示モニタ８に接続され、その表示画像を制御する。制御部８１には画像処理部８０、Ｙ駆動部６、ＸＺ駆動部７、ジョイスティック４、移動機構３９、挿脱機構６６、撮影スイッチ８３、各種の操作スイッチを持つスイッチ部８４、各光源等が接続されている。
【００２１】
スイッチ部８４において、スイッチ８４ａは、検者がジョイスティック４を操作して撮影部３を被検眼にアライメントする手動アライメントモードと、画像処理部８０にて検出処理されたアライメント情報に基いてＸＺ駆動部７及びＹ駆動部６を駆動制御して撮影部３を被検眼にアライメントする自動アライメントモードと、を切換えるアライメントモード切換スイッチである。８４ｂは、検者の操作により眼底像のフォーカス状態をマニュアルで調節するための調整ダイヤルである。８４ｃは、モニタ８に前眼部が表示された状態で、オートアライメント完了後にオートフォーカス機能を自動的に動作させるモードとするか否かを選択する選択スイッチである。８４ｄは、モニタ８に眼底像が表示されているときにオートフォーカス機能を動作させるためのトリガ信号を入力するＡＦスイッチである。８４ｅは、表示モニタ８の表示を前眼部像と眼底像との間で切換える表示切換えスイッチである。８４ｆは、アライメント完了後にモニタ８の表示を前眼部から眼底像に切換える動作を手動操作により行うか自動的に行うか否かを選択するスイッチである。
【００２２】
上記のような構成を持つ装置において、装置の動作を説明する。ここでは、被検眼に対するアライメント作業を簡略化すべく、スイッチ８４ａにより自動アライメントモードを設定し、また、選択スイッチ８４ｃにより、アライメント完了後にオートフォーカス機能を自動的に動作させないモードを選択した場合について説明する。
【００２３】
まず、被検者の顔を顔支持ユニット５により支持する。そして、検者は固視標７１を固視するよう被検者に指示する。初期段階では、ダイクロイックミラー２４と平行板ガラス２３は眼底観察・撮影光学系３０の光路に挿入されており、ＣＣＤカメラ６５に撮像された前眼部像がモニタ８に表示される。
【００２４】
検者はモニタ８に表示された前眼部像を観察し、ジョイスティック４の操作により撮影部３を被検眼に対して粗くアライメント調整する。そして、図４（ａ）に示したように、ＣＣＤカメラ６５で撮像された４つの指標像Ｍａ〜Ｍｄが画像処理部８０により検出されるようになると、制御部８１は、図４に示すように、指標像Ｍａ，Ｍｂの中間位置を角膜頂点位置Ｍｏとして、ＸＹ方向のアライメント基準位置Ｏに対する偏位量Δｄを求め、ＸＺ駆動部７及びＹ駆動部６を駆動制御する。また、制御部８１は、無限遠光源による指標像Ｍａ，Ｍｂの間隔と、有限遠光源による指標像Ｍｃ，Ｍｄの間隔とを比較することにより、Ｚ方向のアライメント状態を検出して、Ｚ方向のアライメント基準位置に対する偏位量を求め、、ＸＺ駆動部７を駆動制御する（詳しくは、特開平６−４６９９９号公報）。このようにして制御部８１は、被検眼に対する撮影部３のＸＹＺ方向の自動アライメントを作動させ、所定のアライメント条件を満たすよう撮影部３を移動させる。
【００２５】
ＸＹＺ方向のアライメント状態がアライメント完了の条件を満たしていれば、制御部８１は画像処理部８０を介してモニタ８の表示を前眼部像から眼底像に自動的に切換える。また、制御部８１は自動アライメントの動作を停止する。ここで、この表示切換えがスイッチ部８４のモードスイッチ８４ｆで手動にセットされているときは、モニタ８にアライメント完了を報知するマーク１００が点滅表示されるようになる。検者は、このマーク１００の表示によりアライメントが適正であることを知ることができ、スイッチ部８４の表示切換えスイッチ８４ｅを押して、モニタ８の表示を前眼部像から眼底像に切換えることができる。
【００２６】
図６は、モニタ８の表示がＣＣＤカメラ３８の眼底像に切換えられたときの画面例であり、アライメント状態がある程度適正の時、この眼底像では光源５５におり形成される角膜反射像のワーキングドットＷが現れる。検者はこの眼底画像を見ながら、ワーキングドットＷのピントや眼底像のフレア等を確認し、所望する状態で撮影できるように、さらにジョイスティック４の手動操作にてアライメント状態を微調整する。
【００２７】
検者は、眼底像の観察によりアライメントの微調整が行った後、オートフォーカス機能でフォーカス合わせを自動調整したい場合は、ＡＦスイッチ８４ｄを押す。オートフォーカスは、前述のように眼底に投影されたフォーカス指標像Ｓ１、Ｓ２に基づいて行われる。ＣＣＤカメラ３８により撮像されたフォーカス指標像は、画像処理部８０により検出処理され、その分離情報が制御部８１へと随時送られる。制御部８１は、フォーカス指標像の検出情報を基に移動機構３９を駆動して、フォーカス指標像が一致するようにフォーカシングレンズ３２及びスリット指標板４２を光軸方向に移動させ、眼底のフォーカス合わせを行う。
【００２８】
ここで、オートフォーカスによる眼底像のフォーカス合わせは、その時の被検眼の状態によっては適正に行われず、エラーとなる場合がある。例えば、被検眼に瞬きがあったり、固視の状態が不安定だったり、アライメント状態がずれていたり、瞳孔径が小さかったりすると、オートフォーカスが適正に行われず、エラーとなる可能性が高い。フォーカスのエラーが生じた場合、制御部８１により警告音（図示を略す）が鳴るようになっている。このとき、モニタ８の表示が眼底像のままであると、眼底像からでは被検眼の状態が把握しづらく、エラーが生じてもエラーの原因が何であるのか把握することが困難である。
【００２９】
そこで、ＡＦスイッチ８４ｄからのトリガ信号の入力があると、制御部８１は画像処理部８０によりモニタ８の表示を眼底像から前眼部観察像に切換えるように制御する。前眼部を観察可能となることにより、フォーカス合わせのエラーが発生した場合にも、その原因が何であるかを把握できるようになり、適切な処置を行うことができる。例えば、固視の状態が不安定だった場合には、固視灯の方向や色を被検者に説明し、固視灯を正確に認識させる。被検眼に瞬きがあった場合には、瞬きをしないように注意を促した上で、再度オートフォーカスを動作させる。瞳孔径が小さい場合は、眼底像にて調整ダイヤル８４ｂによるマニュアルフォーカスでフォーカスレンズ３２を移動させる。なお、オートフォーカスの動作が終了した場合は、制御部８１及び画像処理部８０の制御によりモニタ８の表示は眼底像の表示に戻るようになっている（なお、エラーが発生した時には前眼部像の表示のままにしておくような構成としても良い。）。
【００３０】
フォーカス合わせが完了した後は、検者が撮影スイッチ８３を押すことにより撮影が実行される。撮影スイッチ８３のトリガ信号が入力されると、制御部８１は挿脱機構６６を駆動することによりダイクロイックミラー２４を光路から離脱させると共に、撮影光源１４を発光する。撮影光源１４の発光により、眼底は可視光により照明され、眼底からの反射光は対物レンズ２５、孔あきミラー２２の開口部、撮影絞り３１、フォーカシングレンズ３２、結像レンズ３３、ダイクロイックミラー３４を経てＣＣＤカメラ３５に結像する。モニタ８の表示は画像処理部８０によってＣＣＤカメラ３５で撮影されたカラーの眼底画像に切換えられる。ＣＣＤカメラ３５で撮影された眼底像は、画像処理部８０が持つ画像メモリに記憶される。
【００３１】
なお、スイッチ構成としては、選択スイッチ８４ｃとＡＦスイッチ８４ｄを単一のスイッチとして両機能を兼用するようにしてもよい。この場合、モニタ８に前眼部像を表示している時は、選択スイッチとして機能し、モニタ８に眼底像を表示している時は、ＡＦスイッチとして機能させるようにする。このような構成としたのは、検者から入力が必要なＡＦスイッチは眼底像が表示されている時に使用され、また、自動的にオートフォーカスを動作させるどうかの設定は、通常、前眼部のアライメント前に行われるため、前眼部像と眼底像のどちらを表示しているか否かでお互いの機能の住み分けができるからである。これにより、スイッチ構成が簡略化されるとともに、検者にとって操作しやすくなる。
【００３２】
また、本実施例の装置のように、オートアライメント機能を持つ装置の場合、オートフォーカスを動作させると共に、ＡＦスイッチ８４ｄからのトリガ信号に連動してオートアライメントを動作させるようにすれば、フォーカス精度を向上させることができる。例えば、ＡＦスイッチ８４ｄからのトリガ信号の入力があったら、はじめにオートアライメントを動作させて、被検眼と撮影部３のアライメント状態を自動的に調整し、その後に、オートフォーカスを動作させる。このようにすれば、被検眼と撮影部３の位置関係が適正な状態にて、オートフォーカスが行われるため、フォーカス精度を向上させることができる。
【００３３】
なお、上記で説明したモニタ８の表示画像の前眼部観察像と眼底観察像の表示切換えについては、前眼部観察状態に切換えたときに前眼部観察像を大きく表示すると共に眼底像観察像を小画面で合成表示し、眼底観察状態に切換えたときに眼底観察像を大きく表示すると共に前眼部観察像を小画面で合成表示する場合も含むものである。
【００３４】
なお、選択スイッチ８４ｃによりオートフォーカスを自動的に行うよう設定した場合においても、本発明の適用は可能である。例えば、図示なき固視標位置を選択するためのスイッチにて、固視標の位置を変更する信号が入力されたのをトリガ信号として、オートフォーカスを自動的に動作させると共に、モニタ８の表示を眼底像から前眼部像を切換えるようにすれば、オートフォーカス中の被検眼の状態が把握できる。
【００３５】
また、本実施例においては、フォーカス指標像を眼底観察用のＣＣＤカメラ３８により検出するような構成としたが、フォーカス指標像を検出するための専用の光学系を設けるような構成としても良い。このような構成とすれば、観察・撮影光路へのレンズの挿脱により単一のＣＣＤカメラで前眼部像と眼底像を撮像できる眼底カメラにおいても、本発明の適用が可能となる。例えば、観察・撮影光学系の光路へのレンズの挿入時に前眼部像が撮像され、レンズの離脱時に眼底像が表示されるような構成の場合であっても、眼底のフォーカス情報が検出できるので、オートフォーカスの動作中は、レンズを光路に挿入し、前眼部像をモニタに表示させるようにし、オートフォーカスが終了したら、レンズを光路から離脱させて眼底像を表示させるようにすればよい。
【図面の簡単な説明】
【００３６】
【図１】本発明に係る無散瞳型の眼底カメラの構成図である。
【図２】撮影部に収納される光学系及び制御系の概略構成図である。
【図３】ワーキングドットを形成するための構成を説明する図である。
【図４】前眼部観察画面を説明する図である。
【図５】眼底に投影されたフォーカス指標像について説明する図である。
【図６】眼底観察画面を説明する図である。
【符号の説明】
【００３７】
３  撮影部
６  Ｙ駆動部
７  ＸＺ駆動部
８  モニタ
３０  眼底観察・撮影光学系
３２  フォーカシングレンズ
３８  眼底観察用ＣＣＤカメラ
３９  移動機構
６０  前眼部観察光学系
６５  前眼部観察用ＣＣＤカメラ
８０  画像処理部
８１  制御部
８４ｄ  ＡＦスイッチ
Ｓ１、Ｓ２  フォーカス指標像
【図１】
2006116090.tif 000003
【図２】
2006116090.tif 000004
【図３】
2006116090.tif 000005
【図４】
2006116090.tif 000006
【図５】
2006116090.tif 000007
【図６】
2006116090.tif 000008